(57)【要約】リアルタイムの放送や録画で用いられる広告コンテンツ再配信システムは、ユーザーが広告コンテンツをスキップすることを検出する確認部を備える。入力はスキップされた広告コンテンツの再配信に関するユーザーの好みを受け取り、再配信モジュールはそのユーザーの好みに従って、ユーザーにスキップされた広告コンテンツを再配信する。スキップされた広告コンテンツは、ユーザーの主要メディアコンテンツの楽しみを妨げない方法でユーザーに再配信される。
2006515478.tif 000002
【特許請求の範囲】
【請求項１】
ユーザーによる広告コンテンツのスキップを検知する確認部と、
スキップされた広告コンテンツの再配信に関するユーザーの好みを受け取る入力と、
上記ユーザーの好みに従ってスキップされた広告コンテンツをユーザーに再配信するモジュールとを備え、リアルタイムの放送及び録画で用いられる広告コンテンツ再配信システム。
【請求項２】
スキップされた広告コンテンツとのユーザーの対話を検出することによって、スキップされた広告コンテンツの再配信を確認する再配信確認モジュールを備えた請求項１のシステム。
【請求項３】
上記再配信確認モジュールはアクティブディスプレイにおけるスキップされた広告に対するユーザーの操作を検出する対話検出器を含む、請求項２のシステム。
【請求項４】
スキップされた広告コンテンツとのユーザーの対話に基づいてユーザーに見返りを与えるユーザー刺激サブシステムを備えた請求項１のシステム。
【請求項５】
上記ユーザー刺激サブシステムは、スキップされた広告コンテンツとのユーザーの対話に依存して付加的なメディアコンテンツをユーザーに配信するメディアインタフェースを含む、請求項４のシステム。
【請求項６】
上記付加的なメディアコンテンツは、利用可能な主要メディアコンテンツに関する情報を提供する電子番組ガイドに対応する、請求項５のシステム。
【請求項７】
上記メディアインタフェースは、第１のアクティブディスプレイを経由して付加的なメディアコンテンツとスキップされた広告コンテンツを配信することによって、第２のアクティブディスプレイを経由する主要メディアコンテンツの配信に立ち入ることを避けるようになっている、請求項５のシステム。
【請求項８】
上記ユーザー刺激サブシステムは、スキップされた広告コンテンツとのユーザーの対話に基づいてポイントを蓄積することをユーザーに許可するポイント蓄積サブシステムを含み、
上記メディアインタフェースは、付加的なメディアコンテンツの配信に蓄積されたポイントを利用するようになっている、請求項５のシステム。
【請求項９】
スキップされた広告コンテンツを保存するデータストアを備えた請求項１のシステム。
【請求項１０】
上記確認部は、ユーザーによる広告のスキップの検知に基づいて、上記データストアに広告コンテンツを配信するようになっている、請求項９のシステム。
【請求項１１】
上記再配信モジュールは、スキップされた広告コンテンツをユーザーの好みに従って電子メールによってユーザーに再配信するようになっている、請求項１のシステム。
【請求項１２】
上記再配信モジュールは、スキップされた広告コンテンツをユーザーの好みに従って音声メールによってユーザーに再配信するようになっている、請求項１のシステム。
【請求項１３】
上記再配信モジュールは、スキップされた広告コンテンツをアクティブディスプレイを備えた遠隔制御装置に記録装置から伝達することによって、スキップされた広告コンテンツを再配信し、アクティブディスプレイを経由して広告コンテンツを配信するようになっ
ている請求項１のシステム。
【請求項１４】
事象マーカーに識別情報を加え、上記事象マーカーを対応するタイムコードと関連づけることによってメタデータを生成し、上記メタデータを広告コンテンツの対応する部分と関連づけるようになっているメタデータ解析ツールを備えた請求項１のシステム。
【請求項１５】
ユーザーによる広告コンテンツのスキップを検知することと、
スキップされた広告コンテンツを保存することと、
ユーザーの主要コンテンツの楽しみを妨げない立ち入らない方法でスキップされた広告コンテンツをユーザーに再配信することを含む、リアルタイムの放送及び録画で用いられる広告コンテンツ再配信方法。
【請求項１６】
スキップされた広告コンテンツとのユーザーの対話を検出することによって、スキップされた広告コンテンツの再配信を確認することを含む、請求項１５の方法。
【請求項１７】
上記スキップされた広告コンテンツとのユーザーの対話を検出することは、アクティブディスプレイにおけるスキップされた広告コンテンツに対するユーザーの操作を検出することを含む、請求項１６の方法。
【請求項１８】
スキップされた広告コンテンツとのユーザーの対話に基づいてユーザーに見返りを与えることを含む、請求項１５の方法。
【請求項１９】
上記見返りを与えることは、スキップされた広告コンテンツとのユーザーの対話に依存して、付加的なメディアコンテンツをユーザーに配信することを含む、請求項１８の方法。
【請求項２０】
上記見返りを与えることは、利用可能な主要メディアコンテンツに関する情報を提供する電子番組ガイドへのアクセスをユーザーに許可することを含む、請求項１９の方法。
【請求項２１】
上記見返りを与えることは、第１のアクティブディスプレイを経由して付加的なメディアコンテンツとスキップされた広告コンテンツを配信することによって、第２のアクティブディスプレイを経由する主要メディアコンテンツの配信に立ち入ることを避けることを含む、請求項１９の方法。
【請求項２２】
上記見返りを与えることは、スキップされた広告コンテンツとのユーザーの対話に基づいてポイントを蓄積することをユーザーに許可することと、
付加的なメディアコンテンツの配信に蓄積されたポイントを利用することを含む、請求項１９のシステム。
【請求項２３】
スキップされた広告コンテンツの再配信に関するユーザーの好みを受け取ることと、
上記ユーザーの好みに従ってスキップされた広告コンテンツをユーザーに再配信することとを含む、請求項１５のシステム。
【請求項２４】
上記スキップされた広告コンテンツを再配信することは、スキップされた広告コンテンツを電子メールでユーザーに再配信することを含む、請求項１５のシステム。
【請求項２５】
上記スキップされた広告コンテンツを再配信することは、スキップされた広告コンテンツを音声メールでユーザーに再配信することを含む、請求項１５の方法。
【請求項２６】
上記スキップされた広告コンテンツを再配信することは、アクティブディスプレイを備
えた遠隔制御装置に記録装置からスキップされた広告コンテンツを伝達し、アクティブディスプレイを経由してスキップされた広告コンテンツを再配信することを含む、請求項１５の方法。
【請求項２７】
事象マーカーに識別情報を加えることと、
上記事象マーカーを対応するタイムコードと関連づけてメタデータを生成することと、
上記メタデータを放送信号から復号された広告コンテンツの対応する部分と関連づけることとを含み、
上記ユーザーによる広告コンテンツのスキップの検出は、対応する主要メディアコンテンツの再生中に、スキップされた広告を上記メタデータに基づいて識別することを含む、請求項１５の方法。
【発明の詳細な説明】
【技術分野】
【０００１】
本発明は、概して広告配信方法およびシステムに関し、特にユーザーの好みに従ってスキップされた広告コンテンツを再配信し、それによりユーザーの主要メディアコンテンツを視聴する楽しみに立ち入る事を回避することに関する。
【背景技術】
【０００２】
今日のテレビ番組（ＴＶ）視聴者は、よくメディアコンテンツの視聴／記録の装置またはシステムの自動化された機能を利用して広告をスキップするかどうかの選択の自由が有する。この能力によって、視聴者の主要なメディアコンテンツの楽しみは増すが、その主要なメディアコンテンツの配信に補助金を出す広告主による投資に対する利潤は減少し、視聴者に移る負担は増大するという結果に終わる。また、すべての広告を自動的にスキップしている視聴者達は、特に広告がユーザーの主要メディアコンテンツの楽しみを妨げない方法で受け入れ可能なものであるとすれば受け入れを望むであろう広告を無意識に見逃し得る。それゆえ、ユーザーの主要メディアコンテンツの楽しみを妨げない方法で、ユーザーの好みに基づいてユーザーに広告コンテンツを再配信する広告コンテンツ再配信のシステムおよび方法の必要性が依然として存在している。本発明はこの必要性を満足させるものである。
【発明の開示】
【０００３】
［本発明の概要]
本発明によれば、リアルタイムの放送や録画で用いられる広告コンテンツ再配信システムは、ユーザーが広告コンテンツをスキップすることを検出する確認部を備える。入力はスキップされた広告コンテンツの再配信に関するユーザーの好みを受け入れ、再配信モジュールはそのユーザーの好みに従って、ユーザーにスキップされた広告コンテンツを再配信する。もう一つの側面においては、スキップされた広告コンテンツは、ユーザーの主要メディアコンテンツの楽しみを妨げない立ち入らない方法でユーザーに再配信される。
【０００４】
詳細な説明および具体的な実施例は、本発明の好ましい実施態様を示すものであるが、これは単に例示のためであって、本発明の範囲を限定するものではないことは理解されたい。
【発明を実施するための最良の形態】
【０００５】
好ましい実施態様に関する以下の記載は、実質的に単なる例示であり、本発明、その利用および用途を限定するものでは決してない。
【０００６】
本発明によれば、図１に示すように、セットトップボックス（ＳＴＢ）、放送電波、または衛星放送、および／またはケーブル送信といったメディアコンテンツの源１０が、テレビ番組といった主要メディアコンテンツ１２を供給する。それはさらに、広告コンテンツ１４や、利用可能な主要メディアコンテンツおよび／または字幕に関する情報を供給する電子番組ガイド（ＥＰＧ）のような付加的なメディア１６等の追加メディアを供給する。テレビ受信機やビデオ録画装置等のメディア提示装置１８は主要メディアコンテンツを受け取って、主要メディアコンテンツ１２をアクティブディスプレイ２０に表示する。装置１８は発明の様々な実施に応じて付加的なメディア１６および／または広告コンテンツ１４をアクティブディスプレイ２０に表示するため、変化するように操作可能であることは容易に理解されたい。
【０００７】
好ましい実施態様において、ユーザーは、広告配信システム２２を実装し、ユーザー入力２４に従って装置１８に制御信号２８を配信する装置コントローラー２６へのユーザー入力２４を受け取る携帯装置を所有し、これにより装置１８の遠隔操作に影響を与える。確認部３０は、装置１８の状態３２と受け取られた広告コンテンツ１４に基づいて広告がスキップされるのを検知し、スキップされた広告コンテンツをデータストア３４に保存する。それはさらに、スキップされない広告コンテンツをアクティブディスプレイ３６に表示し、それにより、ユーザーのアクティブディスプレイ２０を通して主要メディアコンテンツ１２を視聴する楽しみを妨げることを回避する。
【０００８】
図２を参照すると、広告配信モジュール３８は、ユーザー入力２４により伝達される配信方法や検索語の形式でユーザーの好み４０を受け取り、さらに／または保存する。従って、ユーザーは例えば映画の予告編といった要望する広告の種類を定期的に示すことができ、メディアインタフェース４２は伝達された種類に従ってデータストア３４から広告を優先的に取り出し、ユーザーが付加的なメディア１６にアクセスしている間にアクティブディスプレイにそれらの広告を配信する。このようにして、メディアインタフェース４２は、ユーザーの好みに従ってアクティブディスプレイに付加的なメディアおよび／またはスキップされた広告４４を配信する。さらに、ユーザーの主要メディアコンテンツの楽しみを妨げることを回避する。モジュール３８はまださらに、スキップされた広告コンテンツへのユーザの対話を検出する対話検出器４６を備えており、検出の方法はスキップされた広告コンテンツの種類によって変化し得る。従って、マウスのクリックおよび／またはスクロール動作が、ウェブページの形式で表示され対話が行われる広告では検出され得る。対話式の広告はさらに、対話機能に従って特定の種類のより直接的なユーザーの入力を求め得る。
【０００９】
本発明によると、スキップされた広告コンテンツに対するユーザーの対話の検出は様々な形で見返りを受け得る。モジュール３８は、例えば、ユーザーが、スキップされた広告コンテンツに対するユーザーの対話に基づき、さらにスキップされた広告コンテンツの価値に基づいてポイントを加算することを可能とするポイント加算器４８を備える。メディアインターフェース４２は順々に、スキップされた広告コンテンツを取り出す時、および／または付加的なメディア１６にユーザーのアクセスを許可する時に、加算されたポイントを利用するように適応させられる。また、ユーザーが買い物の間に必要に応じて割り引き券を取り出すことができるように、広告はキーワード検索によって自由自在に取り出され得る。従って、ユーザーは食料品店の買い物時に携帯装置を手に取り、買い物の必要に基づいて電子クーポンを取り出し、精算時に装置の表示部にバーコードを表示させることができる。
【００１０】
本発明の広告コンテンツ再配信方法は図３で説明される。５０で開始し、メディアコンテンツは広告コンテンツを含んでステップ５２で受け取られる。例えば、自動記録装置へのケーブル送信を持つユーザーは、番組や広告を受け取り、保存されたコンテンツに基づいて保存された番組の索引を作成しつつ、メモリにユーザーの選択した番組を保存することができる。保存技術は、例えば、すべての広告をスキップすると同時に番組だけを保存することができる。従って、装置が記録している番組に付随する広告を受け取る毎に、ステップ５４においてユーザーによる広告のスキップが適切に検出される。あるいは、記録装置が番組に付随する広告を記録する場合は、ユーザーが再生の間に広告を早送りする時のスキップが適切に検出される。さらなる代わりとして、遠隔制御装置が広告の間のチャンネルの切り替えを検知するように構成されてもよい。
【００１１】
従って、記録装置および／または遠隔制御装置は、ステップ５６において、例えば遠隔制御装置に設置されたメモリに、スキップされた広告とそれらを識別する情報を保存することによって、スキップされた広告をバッファリングする。ユーザーが例えば音声メール
および／または電子メールによって広告を再配信してもらうという選択の対象を伝達できるように、その方法はステップ５８において、再配信に関してユーザーに選択肢を提供することを含む。従って、記録装置は、加えて、あるいは代わりに、用いられる選択の対象に従って広告が配信されるステップ６０において、ユーザーの電子メールまたは音声メールに広告を送るかもしれない。遠隔制御は、ステップ６０において、加えて、及び／または代わりに、アクティブディスプレイを通してユーザーに伝達された好みに従ってスキップされた広告をユーザーに再配信する。
【００１２】
ユーザーのスキップされた広告コンテンツに対する対話はステップ６２において検出され、ユーザーはステップ６４においてスキップされた広告コンテンツを検出したことに対する見返りを受ける。これらのステップ６２と６４は、例えば、アクティブディスプレイの広告をユーザーが操作するのを検知することと、ユーザーの主要メディアコンテンツの楽しみを妨げない方法で利用可能なメディアコンテンツに関する番組情報にユーザーがアクセスするのを許可することに対応する。見返りは、注文対応サービス（ペイパービュー方式等）のテレビに関する信用貸し、割引された受信料、視聴／記録装置の補助金、ユーザーが興味のある広告コンテンツへの便利なアクセス、および／または製品やサービスの割引券をも含むものであってもよい。
【００１３】
本発明の他のいくつかの実施態様がさらに以下で検討される。図４は、遠隔制御装置６８が通信ネットワーク７４上で広告提供者と通信している間に、記録装置７０やテレビ受信機７２等の部分的な装置の制御に影響をあたえるようになっている本発明の実施態様を例として説明する。従って本発明の方法は、遠隔制御装置６８と広告提供者のアクセス制御システム７５に分けられる。
【００１４】
遠隔制御装置６８の操作方法７６は、７８で開始し、装置６８がユーザー入力に基づいて制御信号を生成するステップ８０に進む。それによって、装置６８はステップ８２で制御信号に基づいて楽しまれるテレビ放送のチャンネルを決定し、ステップ８４で例えば１以上の搭載されたチューナーやデコーダを用いて楽しまれるチャンネルを監視することができる。従って、装置６８はステップ８６で、広告コンテンツの間にチャンネルの切り替え、記録、および／または早送りを検出することによって制御信号や監視されたチャンネルに基づいてスキップを検出できる。結果として、装置６８はユーザーが記録しているチャンネルを同時に監視してデコードしながら、ユーザーが見ているチャンネルを監視してデコードできる。例えば、記録された広告はスキップされたとみなされてもよく、一方広告の間にユーザーがチャンネルを切り替えた場合は見られていたチャンネルの広告がスキップされたとみなされてもよい。後で、ユーザーが記録された番組を見て広告を早送りしなかった場合は、それはスキップされなかったとみなされてもよい。広告および／またはスキップされた広告を識別する情報はステップ８８で装置６８によって記録される。スキップされた広告を識別する情報は、特定の番組の識別、特定の広告主の識別、および／または特定の製品やサービスの種類の識別に対応してもよい。方法７６は９０で終了する。
【００１５】
アクセス制御システム７５の操作方法９２は９４で開始し、満足できる広告が装置６８によって記録されたスキップに基づいて識別され、通信ネットワーク７４上でシステム７５に伝達されるステップ９６に進む。満足できる広告は、例えば、広告データベース９８の内容、顧客アカウントデータベース１００のユーザーのプロフィールから推測されるユーザーの好み、および刺激的な手段データベース１０２の広告売買計画に基づいて識別される。従って、男性用の衛生製品の広告は女性用の衛生製品の広告をスキップする男性ユーザーにとって満足できるものと識別され、その逆もさらに適用されるかもしれない。従ってまた、スキー道具および／またはスキーの休暇の広告はスキーへの興味を表明しているユーザーのために識別されるかもしれない。このように、ステップ１０４で遠隔制御装置６８および／またはテレビ受信機７２に識別された広告を配信することによって、ユー
ザーの好みに基づいて広告が提供される。
【００１６】
方法９２は、ステップ１０６で提供された広告に対するユーザーの対話を検出すること、およびステップ１０８で提供された広告に対する対話への見返りをユーザーに与えることを含む。例えば、テレビ受信機７２に配信されるフィルム広告に同時または後に装置６８に配信される広告に関する質問が添えられてもよい。従って、通信ネットワーク７４上でシステム７５に伝達されるユーザーの応答は広告とのユーザーの対話を知らせ得る。また、ユーザへの見返りは保持された刺激的な手段に基づいてユーザーに提供されるメディアコンテンツの形を取りうる。結果として、ユーザーはオンデマンドサービスのビデオであるＥＰＧにアクセスし、かつ／または会員制メディア配信サービスの割引を受けるかもしれない。その代わりに、またはそれに加えて、ユーザーは広告される製品やサービスに関する製品および／またはサービスの割引を受けるかもしれない。方法９２は１１２で終了する。
【００１７】
遠隔制御装置６８はさらに図５で説明される。従って、装置６８は受信される放送信号１１６の様々な選択されるチャンネルに周波数を合わせるための１つ以上のチューナー１１４と少なくとも信号１１６に含まれる追加データ（ＥＰＧ、字幕、コード化された広告、タイミング情報等）を復号する複数のデコーダ１１８を備える。従って、確認部１２０はユーザーが楽しんでいるチャンネルを監視し、ユーザー入力１２６に基づいて制御信号１２４を生成する装置コントローラー１２２からの信号に基づいてチューナー１１４を操作する。確認部１２０によって広告がスキップされたとみなされると、ＸＭＬ構文解析ツール１２８は、スキップされた広告、スキップされた広告に関する情報、および／または広告をスキップしている間にユーザーが楽しんだ番組についての情報の構文解析を行う。ＸＭＬ構文解析ツール１２８は、メタデータに基づいて追加データの構文解析を行い、さらに／または必要に応じてメタデータを追加データに追加する。構文解析されたスキップはユーザー入力１２６に応じてデータストア１３０に記録され、（有線または無線の）通信インタフェース１３１を介して１３２で出力される。それに応じて１３４で受け取られた広告は、アクティブディスプレイ１３６に表示される。受け取られた広告とのユーザーの対話に対応するユーザー入力１２６もまた通信インタフェース１３１を介して１３２で出力される。１３４で見返りとして受け取られる付加的なメディアもまたアクティブディスプレイ１３６に表示される。
【００１８】
もう一つの他の実施態様が図６に示される。その中で、記録装置１３８は通信ネットワーク７４上で放送信号を受けとり、遠隔制御装置１４０から受信する制御信号に応じてテレビ受信機７２のアクティブディスプレイにメディアコンテンツを表示する。この実施態様において、記録装置１３８は本発明の方法を十分に実行するようになっている。従って、記録装置１３８の操作の方法１４２は１４４で開始し、放送が受信されるステップ１４６に進む。ユーザーの選んだ番組はステップ１４８で索引をつけて記録され、ステップ１５０でユーザーがその記録された番組を再生したが広告をスキップした時にスキップが検出される。１５０におけるスキップの検出はその代わりに、あるいはそれに加えて、記録された番組に付随するすべての広告をスキップされたものとみなしたり、ユーザーが再生中に早送りをした場合は記録された広告をスキップされたものとみなしたり、ユーザーが再生中に早送りをしなかった場合は広告を記録の際にスキップされ再生中にはスキップされないものとみなしたりすることに対応する。スキップされた広告はステップ１５２で記録される。もしすべての広告が正常に記録されていれば、ステップ１５２でどの記録された広告がスキップされたかを示す広告の索引の保存および／または更新が行われてもよい。
【００１９】
ユーザーが、例えば、利用可能な記録に目を通したい、ＥＰＧに目を通したい、記録の好みを設定したい、記録を見たい、および／または記録の広告部分を早送りしたいといっ
た要求を装置１３８に伝達すると、装置１３８は基準量を超える多くの広告がスキップされているかどうかを１５６で判断する。もしそうであれば、装置１３８は、例えばステップ１５８で記録された広告をテレビ受信機７２で再生したり、記録された広告をそのアクティブディスプレイに表示するために遠隔制御装置１４０に送信することによって、ユーザーにスキップされた広告を配信する。一旦スキップされた広告の数が１５６で受け取り可能なレベルに減らされると、装置１３８はステップ１６０でユーザの要求を許可する。ユーザーの要求は、ユーザが将来メディアコンテンツを中断なく視聴するための信用を築くようなスキップされた広告への要求に対応するものであってもよい。また、ある状況においてユーザーは、広告売買計画の構造に従って、好む種類の広告を１回よりも多く見て、従って好まない種類の広告は避けるかもしれない。メディアコンテンツ提供者はこのような記録装置を利用するユーザーに受信料の値下げを提案してもよい。方法１４２は１６２で終了する。
【００２０】
記録デバイス１３８はさらに図７で説明される。その中で、１つ以上のチューナー１１４およびデコーダ１１８が、ユーザー入力１２６に基づいて受信した放送信号１１６のチャンネルに周波数をあわせて復号する。記録機能１６３は、ユーザー入力１２６に従って、復号されたメディアコンテンツをデータストア１６４に記録する。復号された追加データはＸＭＬ構文解析ツール１２８によって構文解析され、ＸＭＬ構文解析ツール１２８は必要に応じてメタデータを追加し、確認部１２０は構文解析された追加データおよび記録機能１６３の操作に基づいて広告のスキップを検出する。したがって、スキップされた広告はデータストア１３０に記録される。ＥＰＧ情報、字幕、記録されないメディア、および記録された番組の索引は記録機能１６３とアクセス制御モジュール１６５を経由して視聴覚出力１６６としてアクティブディスプレイに送られる。また、記録されたメディアコンテンツ、および／または広告は、アクセス制御モジュール１６５を経由して出力１６６として送られる。アクセス制御モジュール１６５は、ユーザーの広告のスキップと視聴に基づいたユーザーの広告視聴の信用評価を保存し、ユーザーの広告視聴の信用が良い限り、ユーザーに様々なメディアを出力１６６として配信するようになっている。
【００２１】
さらに別の実施態様は、図８を参照して検討される。そこで、記録装置１６７は放送ネットワーク１６８から放送信号を受信するようになっており、遠隔制御装置１６９はインターネット１７０を閲覧できるようになっている。放送ネットワーク１６８とインターネット１７０はともに通信ネットワーク７４から成り立っている。また、また本発明を構成するステップは、記録装置１６７と遠隔制御装置１６９に分配される。図９に従いかつ参照すると、本発明は１７１で開始し、ステップ１７２に進み、ステップ１７２においてユーザーの見ている状態が制御信号の形で制御インタフェースを経由して受信される。チャンネル切り替え、および／または早送りが１７３で検出され、１７４で結果として広告がスキップされた場合、検出された広告のスキップは遠隔制御装置に伝達され、遠隔制御装置はステップ１７５でスキップされた広告手段を実行する。動作がその手段に従って行われ、広告管理データベース１７６に記録されたユーザーの広告視聴履歴とスキップした広告の属性に基づく必要がある場合、広告バッファ１７７の記録装置に保存されたスキップされた広告は、携帯装置に伝達され、ステップ１７８で遠隔制御装置のアクティブディスプレイに直接、かつ／または、電子メール、音声メール、テキスト、および／またはウェブページ等による広告配信ポータル１７９を経由して再配信される。刺激的な手段はステップ１８０でデータベース１７６のデータを調整することによって、手段に従って実行される。
【００２２】
図１０を参照すると、記録装置１６７は放送信号を受信して復号するためにチューナー１８１を用い、遠隔制御装置１６９から制御インタフェース１８４を経由して受信された制御信号に応じて、番組を番組管理データベース１８３に保存するために記録機能１８２を用いる。スキップされた広告はハードディスク１８５に保存され、スキップされた広告
と広告のスキップの検出は通信インタフェース１８６Ａを経由して遠隔制御装置１６９に伝達される。遠隔制御装置１６９は、通信インタフェース１８６Ｂを経由した記録装置１６７からの伝達を順に受信する。遠隔制御装置１６９は、広告マネージャー１８８をスキップされた広告手段と刺激的な手段を実行するのに用い、記憶装置１９０を広告管理データベースを保存するのに用いる。同期装置１９２は、受信した広告と付加的なメディアを液晶表示装置（ＬＣＤ）の画面１９４に再配信する。ユーザーは広告、インターネット、および／または付加的なメディアにブラウザ１９６を経由してアクセスする。
【００２３】
記録装置１６７と遠隔制御装置１６９はともに、図１１に従ったメディアコンテンツと広告の再配信計画１９８における広告の再配信を促進する。そこで、広告および／またはメディアコンテンツ１９８は、２００において、フィルム２０２、テキスト２０４、マルチメディアファイル２０６、および／またはウェブべージ２０８を含む様々な形式で取り出される。これらの様々な形式が、テレビジョン放送２１２およびポータルおよび／または第三者企業２１４等の異種の源から消費者２１０に順に配信される。従って、記録装置１６７（図８）およびテレビ受信機７２は、広告を含むフィルムをベースとしたメディアの配信に影響し、その上、遠隔制御装置１６９は、他の、つまり広告を含む追加的でかつ／または付随する形式のメディアの配信に影響する。
【００２４】
メディアの配信は、広告などの送信されるメディアの様々な部分を表すメタデータを含む放送信号を用いることによってさらに促進される。図１２に示すように、放送信号の視聴覚部分２１６は、メディアコンテンツを異なる類型に区分するメタデータを含む。メタデータ２１８は、隣接し、かつ／または重ね合わさったメディアコンテンツ、例えば放送信号にそれが埋め込まれる広告、を表すのに役立つ。従って例えば、相互に関係のあるメタデータの層２１８は、放送信号のある特定の時点における番組および／または関連する広告を表す。広告に関連するメタデータ２２０は、例えば、特定の広告、それが付随する番組、広告の継続時間、任意のタイトル、分野、スキップのペナルティおよび最大かつ最低のスキップレベルと呼ばれる関連する基準値を表す。また、ある時点Ｔ１における番組に関連するメタデータ２２２Ａは、特定の番組、今までに番組に付随した広告、番組の継続時間、任意のタイトル、および分野を表す。より後の時点Ｔ２における番組に関連するメタデータ２２２Ｂは、例えば、追加の広告が番組に付随している点でメタデータ２２２Ａと異なっている。
【００２５】
また一方、図１３は、従来のテレビジョン放送からメタデータを構成するための本発明に従った方法を明示する。例えば、放送が２２４で受信され、２２８において付け加えられたタイムコードと共に通常の方法で２２６で記録される時に、２３０において事象マーカーが空白のフレームの検出に基づいて同時に生成される。２３２における次の事象の分析は、マークされる事象の種類を判断し、この情報は事象マーカーを識別するのに用いられる。この種の事象のマーキングは米国特許番号５，３３３，０９１に公表され、Ｍｅｔｈｏｄ  ａｎｄ  Ａｐｐａｒａｔｕｓ  ｆｏｒ  Ｃｏｎｔｒｏｌｌｉｎｇ  ａ  Ｖｉｄｅｏｔａｐｅ  Ｐｌａｙｅｒ  ｔｏ  Ａｕｔｏｍａｔｉｃａｌｌｙ  Ｓｃａｎ  Ｐａｓｔ  Ｒｅｃｏｒｄｅｄ  Ｃｏｍｍｅｒｃｉａｌ  Ｍｅｓｓａｇｅｓ（過去に記録されたコマーシャルを自動的に走査するビデオプレーヤーを制御するための方法および装置）という表題をつけられ、Ｉｇｇｕｌｄｅｎ、およびその他の者に発行されており、ここで参照されることにより組み込まれる。本発明に従って、事象マーカーを識別するのに用いられる情報が事象マーカーに加えられ、２３６で記録された広告を再配信のために識別すること、および／またはインターネット上でウェブに基づいた対応するメディアを検索することに用いられ得るメタデータを生成するために、２３４で再生の間に事象マーカーが番組タイムコードと関連づけられる。第二の選択肢は、例えば、番組中の特定の時に全国的、および地方で配信される広告に番組を関連づける情報のデータベースを有する広告コンテンツ提供者に実行されうる。それ故、適当な広告が遠隔制御装置のＩＰアドレス、ユーザーに
記録されたチャンネル、および構成されたメタデータのタイムスタンプに基づいて識別されうる。放送の広告部分を識別する事象分析は２３８でメタデータに基づく計画に従って広告のスキップの検出を助ける。
【００２６】
メタデータに基づく計画に従って広告のスキップを検出する方法は、図１４に示され、この方法は好ましい実施態様において再生中に記録装置によって実行される。その方法は２４０で開始し、ステップ２４２で再生中に広告のスキップを検出することを含む。この状況における検出は、自動的に、あるいはユーザに引き起こされた再生中の広告の早送りやスキップに対応する。それからステップ２４４で、放送中の番組の広告の識別表示が、自動的に監視され更新される番組管理データベース１８３から取り出される。ステップ２４６で、スキップされた広告を識別するメタデータが取り出され、２４８で、スキップされた広告がすでに見られたかどうかが判断される。例えば、記録された広告が予定より早く見られた場合、次にはステップ２５０で広告のスキップは検出されず、操作の方法は２５２で終了する。そうでない場合、広告が見られていない場合は、次にはステップ２５４でそれが広告バッファ１７７に保持され、そしてステップ２５６でスキップされた広告のメタデータが遠隔制御装置に伝達され、それが広告再配信方法を実行する。それから決定がステップ２５８で遠隔制御装置から受信され、それに応じて記録装置が反応する。次には２５２でその方法が終了する。
【００２７】
遠隔制御装置によって実行される広告再配信方法が図１５で説明される。２６０で開始し、ステップ２６２でメタデータ等のスキップされた広告を識別する情報がスキップの検出のすぐあとに受信される。それに応じて広告マネージャーの広告管理データベース１７６は、情報を追加したり、またはすでにデータベース１７６に保存されている対応する情報に関して参照総数の値をインクリメントすることによって、ステップ２６４で自動的に更新される。次には２６６と２６８で、スキップされた広告に関連するスキップの閾値が、ユーザーの広告視聴関連の信用評価における現在のバランスを反映するポイントシステム指数と比較される。メタデータが従来の音声／視覚の放送のために生成されてきている場合、記録装置は例えばスキップされた広告の継続時間に基づいて閾値を指定しうる。
【００２８】
ユーザーの広告視聴関連の信用が、少なくとも一時的にユーザーに広告をスキップするのを許可することを保証できる程十分に高い場合、２７０で遠隔制御が番組を継続する決定を出し、それに応じてユーザーの信用の指数を調整する。また一方、ユーザーの信用評価が広告をスキップできる程高いが、使い果たされる寸前である場合、２７２で広告の再配信に関する選択肢がユーザーに提案され、用いられる選択肢が記録装置に決定として伝達される。例えば、広告をその本来の形式でテレビ受信機で視聴すること、対応する双方向のメディアファイル、テキストメッセージ、および／またはインターネット上のウェブページを取り出すこと、および／または対応する広告を音声メール、および／または電子メールによって配信してもらうことをユーザーは選択しうる。さらに、ユーザーの信用評価が使い果たされている場合は、ステップ２７４で現在の番組の終了までこれ以上広告のスキップを許可しないという決定が記録装置に出される。ユーザーは、ある状況では、現在の番組を休止して、いくつかの広告を視聴して信用評価バランスを築くことによって、「スキップ禁止」の命令を取り除くことができる。その方法は２７６で終了する。
【００２９】
本発明の記載は実質的に単なる例示であり、したがって本発明の趣旨から逸脱しない変形例は本発明の範囲内にあると考えられる。特に、広告再配信システムの形式と実施、および本発明の方法は、ある特定の時点においてそれらが実施され、利用可能な科学技術であって、かつ一般的な自由市場方式となっている個々の商売システムによって異なり得る。例えば、本発明のシステムと方法は、ユーザーの広告視聴信用評価に基づいて信号スクランブル解析を制御し、見返りとしてユーザーの視聴料および／または要求に応じたビデオアクセスに部分的または完全に補助金を出すことによって、ケーブル会社のセットトッ
プボックスで実施されうる。また、本発明は、完全にインターネット上で実施される要求に応じたビデオサービスで実施されうる。そこでは、ユーザーは広告を見ること、かつ／またはそれと対話すること、および／または望まれるビデオストリームの受信に補助金を出すための調査書に記入することを求められるかもしれない。さらに本発明は、タイムシフト記録機能を備えたテレビ受信機で実施されうる。ここで説明した実施態様のさらなる変形は、組合せおよび／または他の実施を含めて、わずらわしい、かつ／または過度の実験をせずに当業者によって容易に得られうる。このような変形は発明の精神と範囲からの逸脱とみなされるべきではない。
【図面の簡単な説明】
【００３０】
本発明は、詳細な説明および添付の図面により、さらに十分に理解されるだろう。
【図１】図１は本発明の一般化された広告再配信システムを示すブロック図である。
【図２】図２は本発明の一般化された広告再配信モジュールを示すブロック図である。
【図３】図３は本発明の一般化された広告再配信方法を示すフローチャートである。
【図４】図４は本発明のシステムと方法の第１の他の実施態様を示すブロックフロー図である。
【図５】図５は本発明の第１の他の実施態様の遠隔制御装置を示すブロック図である。
【図６】図６は、本発明のシステムと方法の第２の他の実施態様を示すブロックフロー図である。
【図７】図７は、本発明の第２の他の実施態様の録画装置を示すブロック図である。
【図８】図８は、本発明のシステムの好ましい実施態様を示すブロック図である。
【図９】図９は、本発明の方法の好ましい実施態様を示すローチャートである。
【図１０】図１０は、本発明の好ましい実施態様の遠隔制御装置と録画装置を示すブロック図である。
【図１１】図１１は、本発明の好ましい実施態様の広告の分配を示すブロック図である。
【図１２】図１２は、本発明の好ましい実施態様の放送ストリームに含まれるメタデータを示すブロック図である。
【図１３】図１３は、本発明の好ましい実施態様の従来の放送ストリームからのメタデータの構成を示すブロックフロー図である。
【図１４】図１４は、本発明の好ましい実施態様の広告スキップ検出のメタデータに基づく計画を示すフロー図である。
【図１５】図１５は、本発明の好ましい実施態様の広告再配信を示すフロー図である。
【図１】
2006515478.tif 000003
【図２】
2006515478.tif 000004
【図３】
2006515478.tif 000005
【図４】
2006515478.tif 000006
【図５】
2006515478.tif 000007
【図６】
2006515478.tif 000008
【図７】
2006515478.tif 000009
【図８】
2006515478.tif 000010
【図９】
2006515478.tif 000011
【図１０】
2006515478.tif 000012
【図１１】
2006515478.tif 000013
【図１２】
2006515478.tif 000014
【図１３】
2006515478.tif 000015
【図１４】
2006515478.tif 000016
【図１５】
2006515478.tif 000017
【国際調査報告】
2006515478.tif 000018